(57)【要約】  本発明は、液体（１７）のための容器（１０）を備える衛生構成を提供し、容器は、容器内に収容される液体を照明する光源（１２）をさらに含む。容器光源の照明色は制御可能である。構成は、さらに、容器を充填する液体の噴流のための液体源（２０）を含む。液体源は、液体源からの液体の噴流を照明する光源（２２）を含む。これらの光源の照明色も制御可能である。容器光源の１つ又はそれよりも多くの容器照明色を制御するために、制御ユニット（４０）が提供される。容器光源お照明色は、液体源の光源の照明色と関係を有する。
2009539463.tif 000002
【特許請求の範囲】
【請求項１】
液体を収容するよう構成される容器を含み、該容器は、該容器内に収容される前記液体を照明するよう構成される複数の容器光源を含み、複数の容器光源が、１つ又はそれよりも多くの容器照明色の光をもたらし、前記複数の容器光源の容器源照明色は制御可能であり、
前記容器に液体の噴流をもたらすよう配置される液体源を含み、該液体源は、前記液体源からの前記液体の噴流を照明するよう構成される１つ又はそれよりも多くの液体源光源を含み、前記１つ又はそれよりも多くの液体源光源は、液体源照明色の光をもたらし、前記１つ又はそれよりも多くの液体源光源の前記液体源照明色は制御可能であり、
前記複数の容器光源の前記１つ又はそれよりも多くの容器照明色を制御するよう構成される制御ユニットを含み、前記複数の容器光源の前記照明色は、前記１つ又はそれよりも多くの液体源光源の前記照明色と関係を有する、
衛生構成。
【請求項２】
前記液体源照明色を制御し、選択的に、照明強度を制御するための使用者入力信号を受信するよう構成される、使用者入力装置をさらに含む、請求項１に記載の衛生構成。
【請求項３】
前記関係は、加色混合又は減色混合に基づく、請求項１及び２のうちのいずれか１項に記載の衛生構成。
【請求項４】
１つ又はそれよりも多くの液体源感知入力信号を取得する１つ又はそれよりも多くの液体源センサをさらに含み、前記１つ又はそれよりも多くの液体源センサは、前記液体源の液体束、前記液体源の液体温度、前記１つ又はそれよりも多くの液体源光源の色の１つ又はそれよりも多くを感知するよう構成され、前記制御ユニットは、前記複数の容器光源の前記１つ又はそれよりも多くの容器照明色を制御し、選択的に、前記１つ又はそれよりも多くの液体源感知入力信号に依存して、前記複数の容器光源からの前記照明の強度を制御するよう構成される、請求項１乃至３のうちのいずれか１項に記載の衛生構成。
【請求項５】
１つ又はそれよりも多くの容器感知入力信号を取得する１つ又はそれよりも多くの容器センサをさらに含み、前記１つ又はそれよりも多くの容器センサは、液体、液体温度、前記容器内の動作の１つ又はそれよりも多くを感知するよう構成され、前記制御ユニットは、前記複数の容器光源の前記１つ又はそれよりも多くの容器照明色を制御し、選択的に、前記１つ又はそれよりも多くの容器感知入力信号に依存して、前記複数の容器光源からの前記照明の強度を制御するよう構成される、請求項１乃至４のうちのいずれか１項に記載の衛生構成。
【請求項６】
液体を収容するよう構成される前記容器は、シャワー流し、浴槽、手洗器、ビデ、及び、化粧室で構成される群から選択される、請求項１乃至５のうちのいずれか１項に記載の衛生構成。
【請求項７】
前記液体は、水を含む、請求項１乃至６のうちのいずれか１項に記載の衛生構成。
【請求項８】
衛生構成における使用のための制御ユニットであって、
前記衛生構成は、
液体を収容するよう構成される容器を含み、該容器は、該容器内に収容される前記液体を照明するよう構成される複数の容器光源を含み、複数の容器光源が、１つ又はそれよりも多くの容器照明色の光をもたらし、前記複数の容器光源の容器源照明色は制御可能であり、
前記容器に液体の噴流をもたらすよう配置される液体源を含み、該液体源は、前記液体源からの前記液体の噴流を照明するよう構成される１つ又はそれよりも多くの液体源光源を含み、前記１つ又はそれよりも多くの液体源光源は、液体源照明色の光をもたらし、前記１つ又はそれよりも多くの液体源光源の前記液体源照明色は制御可能であり、
当該制御ユニットは、
−  実行可能な指令を備えるメモリを含み、
−  入力−出力ユニットを含み、該入力−出力ユニットは、
（ｉ）以下で構成される群から選択される１つ又はそれよりも多くの装置から１つ又はそれよりも多くの入力信号を受信し、
（１）１つ又はそれよりも多くの容器センサ、
（２）１つ又はそれよりも多くの液体源センサ、
（３）使用者入力装置、
（ii）前記複数の容器光源の前記１つ又はそれよりも多くの容器照明色を制御し、選択的に、前記複数の容器光源からの前記照明の強度を制御する１つ又はそれよりも多くの出力信号を送信するよう構成され、
−  前記実行可能な指令に基づき、前記１つ又はそれよりも多くの入力信号を１つ又はそれよりも多くの出力信号に処理するよう設計されるプロセッサを含み、
前記実行可能な指令は、前記複数の容器光源の前記照明色と前記１つ又はそれよりも多くの液体源光源の前記照明色との間の関係を定める、
制御ユニット。
【請求項９】
前記入力−出力ユニットは、前記１つ又はそれよりも多くの液体源光源の前記源照明色を制御し、選択的に、前記１つ又はそれよりも多くの液体源光源からの前記照明の強度を制御するよう、１つ又はそれよりも多くの出力信号を送信するようさらに構成される、請求項８に記載の制御ユニット。
【請求項１０】
複数の容器光源の１つ又はそれよりも多くの容器照明色を制御し、選択的に、請求項１乃至７のうちのいずれか１項に記載の衛生構成の前記複数の容器光源からの前記照明の強度を制御するための方法であって、当該方法は、
−  以下で構成される群から選択される１つ又はそれよりも多くの装置から感知入力信号を受信するステップを含み、
（１）１つ又はそれよりも多くの容器センサ、
（２）１つ又はそれよりも多くの液体源センサ、
（３）使用者入力装置、
−  １つ又はそれよりも多くの出力信号を導出するステップを含み、前記１つ又はそれよりも多くの出力信号は、前記複数の容器光源の前記１つ又はそれよりも多くの容器照明色、選択的に、前記複数の容器光源からの前記照明の強度を制御し、前記複数の容器光源の前記照明色は、前記１つ又はそれよりも多くの液体源光源の前記照明色と関係を有し、
−  前記１つ又はそれよりも多くの出力信号を前記衛生構成の前記複数の容器光源に供給するステップを含む、
方法。
【請求項１１】
使用者が、使用者入力装置を用いて使用者入力信号を生成可能であり、該使用者入力信号は、前記１つ又はそれよりも多くの液体源光源の前記液体源照明色を制御する、請求項１０に記載の制御するための方法であって、
当該方法は、
前記使用者入力信号を感知するステップと、
前記１つ又はそれよりも多くの液体源光源の前記液体源照明色を制御するための１つ又はそれよりも多くの出力信号を導出するステップと、
前記１つ又はそれよりも多くの出力信号を前記１つ又はそれよりも多くの液体源光源に供給するステップとさらに含む、
方法。
【請求項１２】
前記関係は、加色混合又は減色混合に基づく、請求項１０又は１１に記載の制御するための方法。
【請求項１３】
実行可能な指令を含み、該指令は、プロセッサ上で実行されると、請求項１０乃至１２のうちのいずれか１項に記載の方法を遂行する、コンピュータプログラム。
【発明の詳細な説明】
【技術分野】
【０００１】
本発明は、液体、具体的には、水を収容するよう配置される容器と、液体源とを含む衛生構成であって、液体を１つ又はそれよりも多くの照明色で照明する複数の容器光源を含む衛生構成に関する。本発明は、さらに、複数の容器光源の容器照明色を制御するための方法、並びに、そのための制御ユニットに関する。本発明は、この方法を遂行するためのコンピュータプログラムにも関する。
【背景技術】
【０００２】
風呂水を照明する照明システムは、従来技術から既知である。例えば、ＵＳ６５３９５６１号は、透明材料又は不透明材料で形成される、水を収容するための浴槽容器の背表面側に照明装置を提供する。浴槽ユニットは、内側容器と外側容器で形成される二重外殻構造を有し、内側容器は、透明材料又は不透明材料で形成され、照明装置が、内側容器と外側容器との間の空間内に設けられる。照明装置は、色画像を表示するための液晶ディスプレイ、ランプ、又は、発光ダイオードであり得る。
【０００３】
ＵＳ６９３６９７８号は、多様な環境の下での液体の遠隔制御された照明のための方法及び装置を開示している。ＵＳ６９３６９７８号の１つの実施例では、液体中の広範囲の強化された照明効果を達成するために、遠隔制御される多色ＬＥＤ基光源が利用されている。この文献の他の実施例では、プール又はスパが、1つ又はそれよりも多くの遠隔制御された多色光源によって照明され、多色光源は、個別的に且つ独立的に制御可能な装置として利用され得るし、或いは、プール又は温泉（スパ）環境中の広範なプログラム可能な及び／又は調整された色彩照明効果をもたらすために遠隔制御されたネットワーク照明システムを形成するよう共に結合され得る。
【０００４】
従来技術の水浴構成の不利点は、風呂水の色が、容易且つ動的に変更され得ず、風呂水照明、特に、風呂水照明色の制御の直感的方法が可能でないことである。
【発明の開示】
【発明が解決しようとする課題】
【０００５】
故に、好ましくは、風呂水照明、特に、風呂水色の制御の直感的な方法の可能性を提供する代替的な衛生構成を提供することが本発明の特色である。そのような衛生構成における使用のための制御ユニット、並びに、風呂水照明色を制御するための方法及びコンピュータプログラムを提供することが、本発明のさらなる特色である。
【課題を解決するための手段】
【０００６】
本発明の第一の特徴によれば、
−  液体を収容するよう構成される容器を含み、
−  容器は、容器内に収容される液体を照明するよう構成される複数の容器光源を含み、複数の容器光源が、１つ又はそれよりも多くの容器照明色の光をもたらし、複数の容器光源の容器源照明色は制御可能であり、
−  容器に液体の噴流をもたらすよう配置される液体源を含み、液体源は、液体源からの液体の噴流を照明するよう構成される１つ又はそれよりも多くの液体源光源を含み、１つ又はそれよりも多くの液体源光源は、液体源照明色の光をもたらし、１つ又はそれよりも多くの液体源光源の液体源照明色は制御可能であり、
−  複数の容器光源の１つ又はそれよりも多くの容器照明色を制御するよう構成される制御ユニットを含み、複数の容器光源の照明色は、１つ又はそれよりも多くの液体源光源の照明色と関係を有する衛生構成が提供される。
【０００７】
本発明の他の特徴によれば、請求項８に従った制御ユニットが提供される。本発明のさらに他の特徴によれば、請求項１０に従った複数の容器光源の１つ又はそれよりも多くの照明色を制御するための方法、並びに、本発明に従ったこの方法を遂行するための請求項１３に従ったコンピュータプログラムが提供される。
【０００８】
本発明の実施態様が、今や、付属の概略的な図面を参照して、一例としてのみ記載される。図面中、対応する参照記号は、対応する部分を示している。
【発明を実施するための最良の形態】
【０００９】
図面は、本発明に従った衛生構成１の実施態様を概略的に示している。衛生構成は、液体１７を収容するよう構成される容器１０を含む。液体は、好ましくは、水道水のような水を含むが、洗浄水(flushing  water)、温泉水（spa  water）等のような他の種類の液体も含み得る。好ましくは、液体は、蛇口からの水のような水である。
【００１０】
容器
液体１７を収容するよう構成される容器１０は、シャワー流し、浴槽（又はバスタブ）、洗面器（又は、手洗器、シンク、洗い桶等）、ビデ、及び、化粧室（便器）から選択され得る。容器１０は、液体源２０からの液体１７を収容するよう構成される（以下も参照）。
【００１１】
容器１０は、容器１０内に収容される液体１７を照明するよう構成される複数の容器光源１２を含み、複数の容器光源１２は、1つ又はそれよりも多くの容器照明色の光をもたらし、複数の容器光源１２の容器光源照明色は制御可能である。図面（正面図）に示されるように、容器１０は、液体源２０からの液体を収容するために、底部１５及び側部１６を有し得る。容器光源１２は、容器２０内の液体１７を照射し或いは照明するのに適した如何なる源でもあり得る。好ましくは、容器光源１２は、壁又は底部或いは壁及び底部の両方に組み込まれる。構造は、ＵＳ６５３９５６１号のような従来技術から既知である。選択的に、例えば、容器１０の上に、外部光源も使用され得る。そのような光源は、参照番号６２で示され、好ましくは、容器光源１２との組み合わせで使用される。容器光源１２は、この用途に適した如何なる光源であってもよく、壁１６及び／又は底部１５に組み込まれ得るし、或いは、壁１６及び／又は底部１５の背後に存在し得る。例えば、実施態様において、それらは、当業者に明らかであろうように、壁１６及び／又は底部１５の透明或いは半透明部分の背後に配置され得る。容器光源１２は、白熱光源、高圧力光源、（従来技術において既知のルミネッセント材料を備えるキセノン放電光源のような）放電光源、ルミネッセントランプ、（例えば、光画像を表示するための）ＬＣＤディスプレイ、及び、特に、ＬＥＤ（発光デバイス）から選択され得る。容器光源１２の照明色は、例えば、色フィルタを使用することによって、（可視スペクトルの異なる波長で発光する）異なるルミネッセント材料を備える源を使用することによって、或いは、当業者に既知であるような多色ＬＥＤを使用することによって制御され得る（以下も参照）。
【００１２】
容器光源１２の異なる照明色及び液体源２２のための異なる色（以下を参照）は、従来技術において既知の異なる機構を介して選択され得る。例えば、異なる種類の色が選択され得るよう、多色ＬＥＤが使用され得る。しかしながら、代替的に或いは追加的に、複数の容器光源１２内で、容器光源の総数の一部が、第一色の光を生成し、容器光源の総数の一部が、第一色と異なる第二の色を生成すること等が可能である。２つ又はそれよりも多くの色が使用され得る。例えば、異なる色を生成する２個、３個、又は、４個の源が使用され得る。（例えば、一種の色ホイールを使用して）正しい色フィルタ異なる種類のルミネッセント材料、異なる種類のＬＥＤ又は多色ＬＥＤ等を選択することによって、ＣＩＥ（国際照明委員会）色三角形内の色の実質的な部分が、従来技術において既知の、ＣＲＴ（陰極線管）、蛍光照明、多色ＬＥＤ照明、又は、ＬＥＤ蛍光照明から既知の色混合の原理を使用することによって選択され得る。色は、青色、緑色、黄色、橙色、白色、マジェンタ色、シアン色等から選択され得る。複数の容器光源１２並びに１つ又はそれよりも多くの液体源光源２２が一般的に可視光、即ち、約４００〜８００ｎｍの間の波長範囲から選択される波長又は波長範囲を備える光を生成するという事実にも拘わらず、多数の容器光源１２（又は外部光源６２）は、例えば、治療のために、ＵＶ又はＩＲ光を（も）生成し得る。
【００１３】
「複数の容器光源１２」という用語は、容器１０が、普通、多数の、例えば、５個又はそれよりも多くの、より好ましくは、少なくとも１０個の光源を含むという事実に言及している。その照明色が制御可能な複数の容器光源１２は、（赤色、青色、及び、緑色発光領域を有するＬＥＤのような）多色源及び源の組み合わせに言及し、その組み合わせは、（赤色、青色、及び、緑色の発光色をそれぞれ有する個々のＬＥＤのような）照明色を制御するために使用され得る。「その照明色が制御可能な複数の容器光源」という表現は、容器１０が、その光が制御ユニット４０によって制御可能でない、或いは、その照明色（複数の照明色）が「複数の容器光源１２」と表示される光源１２の照明色（複数の照明色）と関係を有さない源を含み得ることを排除しない。
【００１４】
光源
衛生構成１は、さらに、容器１０に液体２７の噴流をもたらすよう配置される液体源２０を含む。液体源２０は、液体源２０からの液体の噴流２７を照明するよう構成される１つ又はそれよりも多くの液体源光源２２を含み、１つ又はそれよりも多くの液体源光源２２は、液体源照明色の光をもたらし、１つ又はそれよりも多くの液体源光源２２の液体源照明色は制御可能である。「液体の噴流２７」又は「液体噴流２７」という用語は、蛇口、シャワーヘッド等のような源２０から流れる液体を言及し得るが、源２０の一部に流れる液体をも言及し得る。例えば、使用者が源２０から流れる液体２７を見得るよう、水路の開放又は透明な頂部を伴う液体用の（例えば水平な）水路を有する蛇口が、従来技術において既知である。少なくとも部分的に透明であってもなくてもよい源２０を通じて流れる液体噴流は、「液体噴流２７」又は「液体の噴流２７」という用語にも含まれる。「噴流」という用語は、当業者に明らかであろうように、「流れ(flow)」（即ち「液体流」）又は「水流(stream)」（即ち「液体水流」という用語も含み得る。
【００１５】
「液体源２０」という用語は、水の噴流２７をもたらす単一の源を含むのみならず、複数の液体源２０をも言及し得る。例えば、多数のシャワーヘッド、１つ又はそれよりも多くの冷水用の蛇口（液体源）及び１つ又はそれよりも多くの温水用の蛇口（液体源）を考え得る。
【００１６】
「１つ又はそれよりも多くの液体源光源２２」という用語は、液体源２０が、普通、多数の、例えば、２個又はそれよりも多くの、好ましくはＬＥＤ種類の好ましくは少なくとも５個の光源を含むという事実に言及している。ここには、（そして、制御された実施態様において、以下を参照）液体源照明色をもたらすために、１つ又はそれよりも多くの液体源光源２２が構成される組み合わせが記載される。好ましくは、液体源光源２２が１つよりも多くの光源２２を含む場合には、液体２７を照明するよう選択される光源は、実質的に同一色において照明する。例えば、白色光が液体噴流２７を照明する色として選択されるとき、フィルタホイールの無フィルタ位置が、液体を照明する全ての光源２２のために選択され得る。或いは、他の実施態様では、多色ＬＥＤが使用されるとき、各多色ＬＥＤは、（白色光をもたらすために）、例えば、青色及び黄色の光の組み合わせをもたらす。さらに他の実施態様では、光をもたらすために、青色光発光ＬＥＤ上に塗工される黄色光発光蛍光体が使用され得る。取り組まれるＬＥＤ又は多色ＬＥＤ又はフィルタホイールは、所望の種類の光を与えるものである。他の色、即ち、他の波長又は波長範囲を選択することは、（光源の前の他の色フィルタで）フィルタホイールを他の位置に回転すること、或いは、他のＬＥＤに取り組みことを暗示し得る。例えば、源２０は、多数のＬＥＤを含み得る。各ＬＥＤ又はＬＥＤの各組は、異なる発光色をもたらすよう構成される。
【００１７】
液体源光源２２の異なる照明色は、同様に容器光源１２のために上述されたように、従来技術において既知の異なる機構を介して選択され得る。容器光源１２及び液体源光源２２のために上述された色を選択するための実施態様は、両方の種類の源（即ち、それぞれ１２及び２２）のために使用され得る。
【００１８】
好ましくは、水１７を照明するよう構成される光源１２は、本質的には、噴流２７を照明するよう構成されず、且つ、その逆である（即ち、噴流２７を照明するよう構成される光源２２は、本質的には、水１７を照明するよう構成されない）。
【００１９】
制御ユニット
さらに、衛生構成１は、複数の容器光源１２の１つ又はそれよりも多くの容器照明色を制御するよう構成される制御ユニット４０を含み、複数の容器光源１２の照明色は、１つ又はそれよりも多くの液体源光源２２の照明色と関係を有する。好ましくは、関係は、加色或いは減色混合に基づく。
【００２０】
具体的な実施態様
以下により詳細に記載される実施態様は、水源２０としての蛇口を備える容器１０としての浴槽（タブ）に特に向けられている。しかしながら、浴槽、蛇口、及び、水という用語は、そのような具体的な実施態様に言及するのみならず、容器１０及び液体源２０の一般的な実施態様にも言及している。
【００２１】
浴槽蛇口２０は、水道水２７が可視スペクトルの所望の色に設定され得るよう、色能力を備える１つ又はそれよりも多くの埋設光２２を有する。水道水２７を着色する照明の選択は、上述のように多くの方法、即ち、色ホイール、別個のタッチパッド（例えば、蛇口或いは他の場所の上、以下を参照）、又は、遠隔制御装置（同様に以下を参照）で行われ得る。浴槽１０は、上述のような及び／又は例えばＵＳ６５３９５６１号又はＵＳ６９３６９７８号に開示されるような照明を有する。１つ又はそれよりも多くの容器光源１２を用いた浴槽照明は、蛇口２０から受け取る風呂水１７を着色するために使用される。風呂水１７の照明色の選択は、多くの方法、即ち、浴槽上の別個のタッチパッド又は遠隔制御装置（同様に以下を参照）で行われ得る。上述されたように、浴槽照明色は、蛇口照明色と関係を有する。
【００２２】
この関係は、実施態様において、（同期効果のような）調節効果、即ち、液体源光源色を選択し或いは変更するときに、浴槽１０内の水を照明する色は、同様に選択され或いは変更されるという調節効果に基づき得る。これは、容器源１２の光の波長又は波長分布が、実質的に同一であるか、或いは、蛇口光源２２によって発光される光の発光波長又は波長分布のそれぞれにおける変化に直ぐ従うことを意味する。例えば、１つ又はそれよりも多くの液体源光源２２の照明光として青色光を選択することは、容器光源１２の総数の少なくとも一部が、青色光を照明し、或いは、それらの照明色を徐々に青色光に変更することも暗示する。制御ユニット４０は、所定の関係に従って複数の容器光源１２の１つ又はそれよりも多くの容器照明色を制御するよう構成される。上述されたように、これは同期関係であり得る。しかしながら、同期は、遅れがあること、或いは、液体源照明色への漸進的な変化があることも暗示し得る。例えば、もし白色光が容器光源１２及び液体源光源２２の両方によって照明光として生成されるならば、水道水光色（即ち、１つ又はそれよりも多くの液体源光源２２の照明光色）を青色に変更することは、実施態様において、容器光源１２の総数の一部が、青色光を生成し始め、容器光源１２の青色照明光の強さが、白色光から青色光に切り替わる容器光源１２の数を徐々に増大することによって徐々に増大されることを意味し得る。この効果の代わりに或いは加えて、容器光源１２の総数の少なくとも一部の各個々の光源１２の（青色）照明光の強さは、時間と共に増大され得る。例えば、実施態様において、使用者は蛇口２０を開き、水道水２８のための特定の色（例えば、青色）を選択する。浴槽１０が充填し始めると、浴槽１０内の照明は、水道水の青色に動的に変化する。これは、浴槽１０が青色照明水１７で充填されるという驚くべき効果（「充填効果」）をもたらす。
【００２３】
水道水２７の色、即ち、液体源光源（複数の液体源光源）２２の照明色は、多数の方法で選択され得る。１つの実施態様において、水道水の色は、機械的手段、例えば、手によって１つ又はそれよりも多くの色ホイールを調整するために使用される機構を使用して選択される。他の実施態様では、独立的なタッチパッドが使用され得る。それらの場合には、液体源２０は、液体源感知入力信号を得るために、好ましくは、１つ又はそれよりも多くのセンサ２１をさらに含み、１つ又はそれよりも多くの液体源センサ２１は、１つ又はそれよりも多くの液体源光源２２の色を感知するよう構成され、選択的に、液体源光源２２の照明強度を感知するようにも構成される。センサによって生成される入力信号が、（例えば、接触ワイヤであり得る信号キャリア４２１を介して）制御ユニット４０に送信される（しかしながら、これは無線でも行われ得る）。制御ユニット４０は、複数の容器光源１２の１つ又はそれよりも多くの容器照明色を制御するよう、さらに、選択的に、１つ又はそれよりも多くの液体源センサ２１の１つ又はそれよりも多くの液体源感知入力信号に依存して、複数の容器光源１２からの照明の強度を制御するよう配置される。
【００２４】
しかしながら、他の実施態様では、本発明に従った衛生構成１は、さらに、液体源照明色を制御するための使用者入力信号を受信するよう構成される使用者入力装置５１を含む。この使用者入力装置５１は、蛇口（液体源）２０の上に、蛇口の隣に、浴槽壁１６の頂部に、或いは、任意の他の適切な場所に配置され得る。使用者入力装置５１は、無線でもあり得る。使用者によって付与されるデータ（「オン」、「オフ」、「色」、「強度」、「任意色選択」等、以下も参照）の結果として使用者入力装置５１によって生成される入力信号は、ある実施態様では、（無線であり得る）データキャリアを介して液体源光源２２に直接的に送信され（この実施態様は図示されていない）、或いは、他の実施態様では、（無線通信を含む）データキャリア４５１を介して制御ユニット４０に送信され、制御ユニットは、次いで、出力信号を生成し、例えば、データキャリア４２２（破線）を介して液体源光源２２に。前者の実施態様において、１つ又はそれよりも多くの液体源センサ２１は、液体源光源２２の照明色を感知するために依然として使用され、感知信号を制御ユニット４０に送信し得る。次に、制御ユニットは、複数の容器光源１２の照明色（及び、選択的に、強度）を制御する。使用者入力装置５１は、例えば、従来技術において既知であるような１つ又はそれよりも多くのタッチパッドを含み得る。使用者入力装置５１は、関係の種類（例えば、「加色混合」又は「減色混合」）、同期の速度（例えば、「遅い」、「中間」、「素早い」）、容器光源１２及び／又は液体源光源２２からの照明の強度等を選択するために、キャリア４５１を介して制御ユニット４０に入力信号を送信するようにも構成され得る。
【００２５】
同様に、使用者入力装置５１は、複数の容器光源１２の容器源照明色（複数の容器源照明色）、及び、選択的に、複数の光源１２の光源１２の（個々の）強度を制御するために、使用者入力信号を生成するようにも構成され得る。
【００２６】
故に、「複数の容器光源１２の照明色は、１つ又はそれよりも多くの液体光源２２の照明色と関係を有する」という表現は、静止色分布及び動的色分布を言及し得る。例えば、液体源光源２２の照明色は、第一波長又は波長分布を備える第一色であるよう選択され（例えば、独立したタッチパッド又は機械的手段、入力装置５１で選択され、或いは、制御ユニット４０によって任意に選択される）、容器光源１２の少なくとも一部の照明色は、（例えば、独立したタッチパッド又は機械的手段、入力装置５１で選択され、或いは、制御装置４０によって任意に選択される）第一色と異なる、第二波長又は波長分布を備える第二色であるよう選択される。次に、液体２７が落下し、流れ、容器１０内に噴流する位置に近接して配置される、容器１０内の源（複数の源）１２（即ち、地域１９で示されるような、噴流２７の方向に配置される光源１２）は、液体源光源２２の照明色にスペクトル的により近い波長又は波長分布を備える色を照明するのに対し、容器光源１２の波長又は波長分布は、前者の光源（複数の光源）１２から減少する距離で第二色の波長又は波長分布に徐々にシフト（移動）し得る。地域１９から遠く離れた光源１２は、第二色の波長又は波長分布で照明し得る。地域１９内に配置される光源（複数の光源）１２の距離が減少すると、照明色は、第二色の波長又は波長分布から第一色の波長又は波長分布に（徐々に）変化する。漸進的シフトは、加色混合又は減色混合に基づき得る。故に、「複数の容器光源１２の照明色は、１つ又はそれよりも多くの液体光源２２の照明色と関係を有する」という表現は、実施態様において、複数の光源１２の少なくとも一部が、液体源照明色（第一色）と実質的に同一の照明色を有し、複数の光源１２の少なくとも一部が、液体源照明色（第二色（複数の第二色）と実質的に異なる照明色（又は複数の照明色）を有し、複数の光源１２の少なくとも一部が、それらの間の照明色（即ち、中間色）を有することに言及している。これらの色は、加色混合又は減色混合に基づく関係を有し得る。
【００２７】
これは静止状況であり得るが、例えば、上述の「充填効果」を得るために、これは動的状況（同期効果）でもあり得る。故に、容器光源１２の１つ又はそれよりも多くの照明色が、液体光源（複数の液体源光源）２２の照明色と実質的に異なる構造があり得る。その構造は、実施態様において、少なくとも２つの実質的に異なる色及び中間色を備える上述の構成に徐々に変化し得る。この構成（「充填パターン」）は維持され得るが、容器光源１２の照明色が実質的に液体源光源２２の照明色と実質的に同一である構造にも変化し得る。具体的な実施態様において、使用者は、１つの構造の他への変化の速度を調節し得る。故に、「複数の容器光源１２の照明色は、１つ又はそれよりも多くの液体光源２２の照明色と関係を有する」という表現は、複数の容器光源１２の全ての容器光源１２が、実質的に同一の色を有する構造に言及するのみならず、容器光源１２の総数の一部が、１つ又はそれよりも多くの液体源光源２２と実質的に同一の色を有し、他が１つ又はそれよりも多くの液体光源２２と異なる色の光を放射する構造にも言及し得る。
【００２８】
「噴流２７の方向に」という表現は、壁１６及び／又は底部１５の乾燥した内表面を有する空の容器１０を想定することによってさらに例証され得る。この内表面は、容器１０が充填されるときに液体１７に向けられる表面である。容器が充填され始めると、噴流２７からの液体によって先ず湿らされる光源１２は、噴流２７の方向にある光源１２であると考えられる。図面において、これは地域１９で概略的に表示されている。地域１９は、液体源２０がその液体の噴流（複数の噴流）２７を向ける浴槽壁１６及び／又は浴槽底部１５上の地域である。これは図面において破線によって取り囲まれた底部上の地域によって表示されている（これは勿論壁１６又は壁の一部を含み得る）。実施態様において、噴流２７の方向に向けられる光源１２は、水の束に依存し得るので、液体源２０の１つ又はそれよりも多くのセンサ２１は、制御ユニット４０が、照明色を制御し、且つ、選択的に、複数の容器光源１２の照明強度を制御するために、即ち、例えば、液体の噴流２７の方向にある光源が、液体源光源２２の照明色と実質的に同一の照明色を有し、或いは、液体源光源２２の照明色と実質的に同一の照明色に変化するような方法で光源１２を制御するために、実行可能な指令に基づいて、容器１０内の複数の光源１２に出力信号を送信し得るのに対し、噴流２７の方向に光源１２よりも遠く離れる光源１２が、この色と実質的に異なる色を有し得るよう、好ましくは、センサ入力信号を生成し、（データキャリア４２１を介して）制御ユニット４０に送信するよう構成され得る。このようにして、充填効果が提供され得るし、容器光源１２の照明色は、液体源光源２２の照明色と徐々に同期し得る。「の方向に」という表現は、「と一致して」としても解釈され得る。これは、当業者に明らかであろうように、噴流が湾曲され得る実施態様を排除しない。
【００２９】
蛇口２０は、上述された液体源稿源２２の照明色を感知するためのセンサ２１に加えて或いは代わりに、とりわけ、液体源２２の液体束を感知するよう構成される１つ又はそれよりも多くのセンサ２１をさらに含む。これらのセンサ２１の１つ又はそれよりも多くによって生成される入力データに基づいて、制御ユニット４０は、照明色及び容器光源１２の強度を制御し得る。流れセンサ（複数の流れセンサ）２１によって生成されるデータは、浴槽照明を規制する制御対数（実行可能な指令）に入力されるべきコントローラのための入力信号として使用され得る。例えば、実施態様において、浴槽の照明は、水道水（２７）の色（即ち、１つ又はそれよりも多くの液体源稿源２２の照明色）及び浴槽１０に入る水道水２７の容量（即ち、束）に従って採用される。もし水道水の色が変更されるならば、風呂水色（即ち、容器光源１１の照明色）は、特定の色混合アルゴリズムに基づいて変化する。この混合アルゴリズムは、塗料混合（減色：青色＋黄色＝緑色）又は光混合（加色：青色＋黄色＝白色）に基づき得る。当業者に明らかであろうように、１つ又はそれよりも多くの液体源稿源２２の照明色への複数の容器光源１２の照明色の調節（同期）は、複数の容器光源１２の少なくとも一部が、液体源稿源２２の照明色の色（変化又は複数の色変化）に従うことを暗示している。上述された「充填効果」をもたらすために、この数は時間と共に（徐々に）増大し得るし、且つ／或いは、その照明強度は時間と共に（徐々に）増大し得る。
【００３０】
複数の容器光源１２の各光源１２は、例えば、浴槽内に広がる水色の驚くべき印象を増大するために、個々に取り扱われ得る。このようにして、本発明は、風呂水照明、特に、風呂水照明色を制御する直感的な方法をもたらし得る。
【００３１】
浴槽照明１２、即ち、実際には、制御ユニット４０が、蛇口２０の場所を認識していることが好ましくあり得る。これは、全ての素子が１つの構成として提供され得るより高等な構成のためには、固定位置であり得る。蛇口２０が、浴槽１０に対する固定位置を有さない（例えば、浴槽の位置及び蛇口の位置が、独立的な構成部品として異なり得る）、即ち、容器１０に対する液体源２０の位置が固定されないとき、蛇口２０の位置は、制御ユニット４０の（実行可能な指令において実施される）プロセッサ２０３のための入力値であり得る。それは容器１０及び／又は液体源２０の据付中又は後に入力され得るし、或いは、制御ユニット４０が自己学習システム（以下を参照）を含む場合には後に入力され得る。
【００３２】
他の実施態様において、液体源センサ２１の１つ又はそれよりも多くは、液体源２０の液温を感知するよう構成される。上述されたように、制御ユニット４０は、複数の容器光源１２の１つ又はそれよりも多くの容器照明色を制御し、且つ、選択的に、１つ又はそれよりも多くの液体源感知入力信号、例えば、温度に依存して、複数の容器光源１２からの照明の強度を制御するよう構成される。例えば、温水２７が浴槽１０内の水１７と混合されるとき、容器光源１２の総数の少なくとも一部、特に、噴流２７が向けられるものは、液体源２０（即ち、不分配噴流２７によって一般的には衝突されない容器光源１２）からより遠く離れた容器光源１２とは別の照明色に照明し得る。例えば、液体１７が容器光源１２によって緑色光で照明されるとき、噴流２７の方向（普通、地域１９によって表示される噴流２７下）の容器光源１２は、赤色照明をもたらし得る。このようにして、局所的に赤色に照明される容積の液体１７が創成される。噴流２７の方向における容器光源からの距離が増大すると（即ち、地域１９からの距離が増大すると）、色は赤色から緑色に徐々に変化し得る。制御ユニット４０は、色勾配を制御するよう、即ち、液体２７の温度に対する複数の容器光源１２の照明色を制御するよう構成され得る。それも加色混合又は減色混合に基づく。よって、容器光源１２の照明色は、液体の噴流２７の温度に調節され得る。このために、制御ユニット４０は、（１）１つ又はそれよりも多くの容器センサ１１、（２）１つ又はそれよりも多くの液体源センサ２１、及び、（３）使用者入力装置５１の１つ又はそれよりも多くからの関数入力信号（複数の関数入力信号）として、照明色、そして、選択的に、強度を制御するために、キャリア（複数のキャリア）４１２を介して、複数の光源１２に出力信号を送信し得る。
【００３３】
故に、実施態様では、１つ又はそれよりも多くの液体源感知入力信号を得る１つ又はそれよりも多くの液体源センサ２１をさらに含む衛生構成１が提供され、１つ又はそれよりも多くの液体源センサ２１は、液体源２０の液体束、液体源２０の液体温度、及び、１つ又はそれよりも多くの液体源光源２２の色の１つ又はそれよりも多くを感知するよう構成され、制御ユニット４０は、複数の容器光源１２の１つ又はそれよりも多くの容器照明色を制御し、選択的に、１つ又はそれよりも多くの液体源感知入力信号に依存して、複数の容器光源１２からの照明の強度を制御するよう構成される。液体源センサ２１の感知入力信号は、（無線であり得る）データキャリア４２１を介して制御ユニット４０に送信され得る。
【００３４】
一層さらなる実施態様において、本発明に従った衛生構成１は、１つ又はそれよりも多くの容器感知入力信号を得る１つ又はそれよりも多くの容器センサ１１をさらに含む。１つ又はそれよりも多くの容器センサ１１は、液体１７、容器液体温度、及び、容器１０内の運動の１つ又はそれよりも多くのを感知するよう構成される。次に、制御ユニット４０は、複数の容器光源１２の１つ又はそれよりも多くの容器照明色を制御するよう、そして、選択的に、１つ又はそれよりも多くの容器感知入力信号に依存して、複数の容器光源１２からの照明の強度を制御するよう構成され得る。液体センサ１１の感知入力信号は、（無線であり得る）データキャリア４１１を介して制御ユニット４０に送信され得る。
【００３５】
１つ又はそれよりも多くのセンサ１１が、（例えば、壁１６及び／又は底部１５上の１つ又はそれよりも多くの場所で）液体を感知するよう構成され得る。これらのセンサによって生成され且つキャリア４１１を介して制御ユニット４０に送信される入力信号は、出力信号を容器光源１２に送信し、特定のセンサ１１が液体１７と接触するときに、或いは、接触しないときに、それらに照明することのみを命じ、或いは、１つ又はそれよりも多くの特定の照明色でのみ照明することを命じるよう、制御ユニット４０によって使用され得る。このようにして、容器センサ１１及び容器光源１２は、容器１０内に配置され、且つ、液体１７と接触するときに、或いは、接触しないときに、異なる照明色で、並びに／或いは、異なる照明強度で照明するよう、制御ユニット４０によって制御され得る。例えば、液体源光源２２が緑色に発光するとき、容器内に収容される液体１７と接触する容器１０内の光源は、緑色光を発光し得るのに対し、他の光源１２は、白色光又は緑色以外の色の光を発光し得るし、或いは、緑色光を発光するが、他の強度で発光し得る。このようにして、容器１０を充填するときに、容器光源が容器１０内の液体１７の液面の上昇又は下降に従う点で、充填効果も達成され得る。容器１０内の波さえも、（実質的に同時に）追随され得る。さらに、当業者に明らかであろうように、１つ又はそれよりも多くのセンサ１１は、複数の容器光源１２の１つ又はそれよりも多くの容器光源１２を制御するための入力信号を生成するために使用され得る、即ち、容器光源１２のサブ組が取り扱われ得る。好ましくは、これらは、液体１７を感知するよう構成される１つ又はそれよりも多くのセンサ１１に近い１つ又はそれよりも多くの容器光源１２である。
【００３６】
そのような効果は、他の実施態様では、透明又は半透明の壁及び／又は底部１５或いは壁１６及び／又は底部１５の透明若しくは半透明の部分を備える容器１０を使用することによっても達成され或いは強化され、壁及び／又は底部材料は、液体と接触するときに並びに液体と接触しないときと比較されるときに、１よりも大きい、好ましくは、１．５よりも大きい、より好ましくは、２よりも大きい透過率を有するよう選択される。これは、壁又は壁の一部が液体１７と接触しないときよりも、そこを通じて源１２が液体１７を照明する壁又は壁の部分が液体１７と接触しないときに、源１２の光が壁１６又は底部１５（或いは壁１６又は底部１５の透明又は半透明部分）を通じて効率的に透過されることを意味する。実施態様では、ＤｕＰｏｎｔによるＣｏｒｉａｎ（Ｒ）が適用され得る。同様に、「空化効果(emptying  effect)」が達成され得る。当業者に明らかであろうように、壁１６又は底部１５は、容器光源１２が壁１６又は底部１５を通じて液体１７を照明するよう配置される位置でだけ透明或いは半透明であり得る。
【００３７】
例えば、液体源２０からの液体の温度に関して上述された温度効果は、（代替的に或いはこの上述された効果に加えて）容器１０内の液体１７（局所的）温度の関数として同様に適用され得る。このようにして、より熱い領域及びより冷たい領域が識別され得る。制御ユニット４０の実行可能な指令は、特定温度の容器液体１７が特定の照明強度に関連する特定の色又は特定の温度を有するよう定められ得る。制御ユニット４０は、データキャリア４１２を介した制御ユニットから光源１２への出力信号によって複数の容器光源１つ又はそれよりも多くを個別に取り扱うことによって、複数の容器光源１２の１つ又はそれよりも多くの容器照明色を制御する。
【００３８】
加えて、容器１０内の色混合の上述された印象は、容器１０内及び／又は容器１０上の動作センサの使用によって増強され得る。このために、容器１０は、１つ又はそれよりも多くの容器感知入力信号を得るために、１つ又はそれよりも多くの容器センサ１１を含み得る。容器センサ１１の総数の少なくとも一部は、容器１０内の動作を感知するよう構成される。同様に、１つ又はそれよりも多くの容器感知入力信号を取得するために、容器１０上に、１つ又はそれよりも多くの外部センサ６１が配置され得る。外部センサ６１（例えば、カラーカメラ等）の総数の一部が、容器１０内の動作を感知するよう構成され得る。これらのセンサ１１及び６１によって生成される入力信号は、データキャリア４１１及び４６１をそれぞれ介して、制御ユニット４０にそれぞれ通信され得る。センサ１１及び／又は６１は、容器１０内の使用者の動作の関数として容器光１２によって容器照明を規制し得る。例えば、動作は、水を混ぜるために（よって、実施態様では、色を混合するために）使用者の手が浴槽１０内で移動するときに、或いは、風呂水１７内で遊ぶ子供の場合に、センサ１１及び／又は６１によって感知され得る。従って、使用者入力装置５１は、制御ユニット４０のための入力信号を生成するようにも構成され、容器光源１２による容器照明がセンサ１１及び／又は６１によって感知される動作に関連付けられるべきか否かを決定し得る。
【００３９】
故に、さらなる実施態様において、容器１０内の液体は、異なる色の容器光源１２によって照明され、容器１０内の動作が感知されると、色は、この動作の関数として（制御ユニット４０から個々の容器光源１２への指令の結果として）混合される。色は、上述されたように、減色混合又は加色混合に基づいて混合され得る。混合は、それが使用者に色の（例えば、染料の）自然な混合と思われるような方法で定められ得る。色が混合される方法は、制御ユニット４０からの実行可能な指令によって定められる。
【００４０】
センサ１１若しくは６１又はそれら両者のさらなる利点は、センサ情報のコントローラ内の簡単な分析が、液体源位置の近似座標を生む学習システムにおいても使用され得ることである。
【００４１】
実施態様において、色は、開始地点としての液体源から広がり得る。色は、さらに、浴槽から壁タイル及び／又は環境照明に広がり得る。このために、概略図には、外部光源６２が示されている。例を挙げれば、液体源２０からの液体２７は、赤色光で照明され、直ぐ下の風呂水も、赤色光で照明されるが、より大きな距離で、照明色は、容器源１２からの照明によって、好ましくは徐々に、赤色から碧青色に変化する。外部源６２は、より深みの少ない青色光、例えば、淡緑青色をもたらし得る。故に、制御ユニット４０は、実施態様では、データキャリア４６２を介して外部源６２に出力信号をもたらすことによって、色及び／又は外部源６２の照明強度も制御し得る。故に、「外部」は、液体源２０上又は内に配置されない並びに容器１０内又は上に配置されない光源に特に言及している。
【００４２】
故に、本発明は、個々に且つ独立して制御可能な装置として利用され得る或いは本発明に従った衛生構成において広範なプログラム可能な及び／又は協調される色照明効果をもたらす遠隔操作されたネットワーク化された照明システムを形成するよう共に結合される１つ又はそれよりも多くの（遠隔に）制御される多色光源１２によって照明され得る容器１０を提供する。
【００４３】
実施態様において、構成１は、１つよりも多くの液体源２０を含み得る。そのような実施態様では、追加的な色混合効果が達成され得る。１つ又はそれよりも多くの液体源２２の液体源照明色と容器光源１２の総数の一部の照明色との間の関係があり得るのみならず、容器光源１２の総数の１つ又はそれよりも多くの部分の間の１つ又はそれよりも多くの色混合効果でもあり得る。例えば、第一液体源２０は、黄色光で照明される第一液体１７をもたらし得るし、第二光源２０は、赤色光で照明される第二液体１７をもたらし得るし、容器光源１２は、白色光で照明し得る。液体源２０を開放するとき、黄色光発光光源１２が、（好ましくは色混合の原理に基づいて）第一地域１９からの距離の増大に伴い白色光に薄れる状態で、色勾配が、第一液体源噴流２７の方向に第一地域１９から形成され得る。同様に、赤色光発光光源１２が、（好ましくは色混合の原理に基づいて）第二地域１９からの距離の増大に伴い白色光に薄れる状態で、色勾配は、第二液体源噴流２７の方向に第二地域１９からも形成され得る。しかしながら、第一及び第二地域１９間に配置される容器光源は、第一地域の黄色と第二地域の赤色との間の、即ち、第一から第二地域への色混合を示す色を発光し得るし、光源１２からの照明は、第一地域１９からの距離の増大並びに第二地域１９からの距離の減少（減色混合がを想定する）に伴い黄色から橙色を通じて赤色に亘る色を発光する。他の効果も実現され得る。また、当業者に明らかであろうように、２つよりも多くの液体源２０も使用され得る。
【００４４】
実施態様において、使用者入力装置５１は、液体源２０の液体束を制御するためにも構成され得る。
【００４５】
本発明の他の特徴によれば、衛生構成１における使用のための制御ユニット４０が提供される。ここで、衛生構成１は、液体１７を収容するよう構成される容器１０を含み、容器１０は、容器１０内に収容される液体１７を照明するよう構成される複数の容器光源１２を含み、複数の容器光源１２は、１つ又はそれよりも多くの容器照明色の光をもたらし、複数の容器光源１２の容器光源照明色は、制御可能であり、前記衛生構成１は、さらに、液体の噴流２７を容器１０に提供するよう構成される液体源２０を含み、液体源２０は、液体源２０からの液体の噴流２７を照明するよう構成される１つ又はそれよりも多くの液体源光源２２を含み、１つ又はそれよりも多くの液体源光源２２は、液体源照明色の光をもたらし、１つ又はそれよりも多くの液体源光源２２の液体源照明色は、制御可能である。この実施態様によれば、本発明は、この衛生構成１のために、制御ユニット４０を提供し、制御ユニットは、実行可能な指令を備えるメモリ２０１、（１）１つ又はそれよりも多くの容器センサ１１、（２）１つ又はそれよりも多くの液体源センサ２１、及び、使用者入力装置５１で構成される群から選択される１つ又はそれよりも多くの装置から１つ又はそれよりも多くの入力信号を受信し、且つ、複数の容器光源１２の１つ又はそれよりも多くの容器照明色を制御し、そして、選択的に、複数の容器光源１２からの照明の強度を制御するよう、１つ又はそれよりも多くの出力信号を送信するよう構成される入力−出力ユニット２０２、並びに、実行可能な指令に基づいて、１つ又はそれよりも多くの入力信号を１つ又はそれよりも多くの出力信号に処理するよう設計されるプロセッサ２０３を含む。制御ユニット４０によって容器光源１２に取り組みことは、複数の光源１２の個々の容器光源１２に個別に取り組むことを含み得る。選択的に、入力−出力ユニット２０２は、さらに、１つ又はそれよりも多くの外部センサ６１から１つ又はそれよりも多くの入力信号を受信するよう構成され得る。
【００４６】
制御ユニット４０の具体的な実施態様において、実行可能な指令は、上述に定められるような、複数の容器光源１２の照明色と１つ又はそれよりも多くの液体源光源２２の照明色との間の関係を定める。（データキャリア４５１を介する）制御ユニット４０への入力信号によって所望の関係を選択するために、使用者入力装置５１が使用され得る。上述されたように、その関係は、液体光源２２の照明色と容器光源１２の総数の少なくとも一部との間であり得る。
【００４７】
さらに、実施態様において、入力−出力ユニット２０２は、１つ又はそれよりも多くの液体源光源２２の源照明色を制御し、選択的に、１つ又はそれよりも多くの液体源光源２２からの照明の強度を制御するために、１つ又はそれよりも多くの出力信号を送信するようさらに構成される。選択的に、実施態様において、入力−出力ユニット２０２は、１つ又はそれよりも多くの外部光源６２の源照明色を制御し、選択的に、１つ又はそれよりも多くの外部光源６２からの照明の強度を制御するために、１つ又はそれよりも多くの出力信号を送信するようさらに構成される。さらに、実施態様において、容器光源１２及び液体源光源２２の照明強度は関連し得る。例えば、使用者は、源１２及び２２の照明強度を同時に弱くし得る。
【００４８】
本発明のさらなる特徴によれば、複数の容器光源１２の１つ又はそれよりも多くの容器照明色を制御し、選択的に、本発明に従った衛生構成１の複数の容器光源１２からの照明の強度を制御するための方法が提供される。この方法は、（１）１つ又はそれよりも多くの容器センサ１１、（２）１つ又はそれよりも多くの液体源センサ２１、及び、（３）使用者入力装置５１で構成される群から選択される１つ又はそれよりも多くの装置からの入力信号を感知入力信号を受信するステップを含み、本方法は、さらに、１つ又はそれよりも多くの出力信号を導出するステップを含み、１つ又はそれよりも多くの出力信号は、複数の容器光源１２の１つ又はそれよりも多くの容器照明色、選択的に、複数の容器光源１２からの照明の強度を制御し、複数の容器光源１２の照明色は、１つ又はそれよりも多くの液体源光源２２の照明色と関係を有し、本法は、１つ又はそれよりも多くの出力信号を衛生構成１の複数の容器光源１２に供給するステップを含む。
【００４９】
本発明の方法の具体的な実施態様において、使用者は、使用者入力装置５１で使用者入力信号を生成し、使用者入力信号は、１つ又はそれよりも多くの液体源光源２２の液体源照明色を制御し、本方法は、さらに、使用者入力信号を感知するステップと、１つ又はそれよりも多くの液体源光源２２の液体源照明色を制御するための出力信号を導出するステップと、１つ又はそれよりも多くの出力信号を１つ又はそれよりも多くの液体源光源２２に供給するステップとを含む。上述されたように、その関係は、好ましくは、加色混合又は減色混合に基づく。
【００５０】
さらに他の特徴によれば、本発明は、実行可能な指令を含むコンピュータプログラムを含み、その指令は、プロセッサ上で実行されると、本発明に従った方法を実施する。
【００５１】
本開示の目的のために、「容器」という用語は、浴槽又は水（又は他の液体）を収容する他の容器を記載するよう概ね使用され、それは如何なる数の実用、娯楽、レクリエーション、治療、又は、スポーツ目的のためにも使用され得る。それは家庭での使用のための或いは「温水浴槽」、「スイミングプール」、「渦流浴槽」、及び、「ジャクージ」のようなレクリエーション地域における如何なる種類の浴槽をも含み得る。ここで使用されるとき、容器は、人間の使用（水泳、水浴、洗浄）のためであり得るし、或いは、野生（例えば、魚、他の水性動物、及び／又は、水性植物）のための水槽での使用のために特に設計され得る。追加的に、容器は、人工或いは自然発生的であり得るし、広範な形状及びサイズを有し得る。故に、衛生構成は、さらに、泉、水源、温泉（スパ）等を含み得る。その場合には、１つ又はそれよりも多くの光源は、（天然の）水たまり又は水路に流入し或いは湧き入る液体を照明し、複数の光源は、（天然の）水たまり又は水路に収容される液体を照明する。故に、本発明は、シャワー構成、浴槽構成、手洗器、ビデ、化粧室等のような衛生構成に特に向けられているが、本発明は、より広く解釈され得る。本発明の原理は、液体のための如何なる源−容器構成に適用可能であり、源は、容器によって収容される液体をもたらし、源によって生成される液体噴流は照明され得るし、容器によって収容される液体は照明され得る。
【００５２】
さらに、容器は、地面の上又は下に構成され得るし、１つ又はそれよりも多くの別個の壁又は床、１つ又はそれよりも多くの丸い表面、或いは、別個の壁、床、丸い表面の組み合わせを有し得る。従って、ここで使用されるような「容器」という用語は、水収容容器の様々な実施例を包含し、水収容容器は、バスタブ、シンク、水たまり、浴槽、タンク、プール、魚タンク、水槽、及び、類似物を含むが、それらに限定されず、上述されたように、水たまり、浴槽、手洗器、ビデ、及び、化粧室も含むことが意図されていることが理解されるべきである。容器は、容器内の水を調整する１つ又はそれよりも多くのヒータ、ブロア、ジェット、循環及びろ過装置のような、多数の付属装置を含み得る。本開示の目的のために、上述されたような容器は、１つ又はそれよりも多くの区画に分割され売ること、並びに、１つ又はそれよりも多くのプール区画が温泉（スパ）としての使用のために特に適合され得ることも理解されるべきである。源は、一般的に、１つ又はそれよりも多くの蛇口又はシャワーヘッドであるが、（天然）泉、水源、温泉（スパ）等も含み得る。１つ又はそれよりも多くの液体源２０は、容器１０が液体１７で充填されると、液体源２０の液体２７が、液面より下で容器１０を充填する、即ち、液体源（複数の液体源）２０の開口（複数の開口）が、（一時的に）液面より下にあるよう構成され得る。液体源光源２２は、液体源２０が液体の噴流２７をもたらすときに、噴流２７を照明するよう構成される。
【００５３】
当業者に明らかであろうように、光源、センサ、制御ユニットは、１つ又はそれよりも多くの適切なエネルギ源を含み得る。データキャリア４２１，４２，４５１，４５２，４６１，４６２は、接触ワイヤであり得るし、或いは、無線通信を含み得る。
【００５４】
さらに、容器は、１つ又はそれよりも多くの区域、１つ又はそれよりも多くのオーバーフロー部、（例えば、底部１５内の）１つ又はそれよりも多くの放出部等を含み得る。
【００５５】
上述された実施態様は、本発明を限定するより、むしろ例証するものであること、並びに、当業者は、付属の請求項の範囲から逸脱せずに多くの代替的な実施態様を設計し得ることが付記されなければならない。請求項中、括弧間に配置される如何なる参照記号も、請求項を限定するよう解釈されるべきではない。「含む」という動詞及びその活用形の使用は、請求項中に述べられている素子又はステップ以外の素子又はステップの存在を排除しない。素子に先行する不定冠詞は、そのような素子が複数存在することを排除しない。本発明は、幾つかの別個の素子を含むハードウェアを用いて、並びに、適切にプログラムされたコンピュータを用いて実施されうる。幾つかの手段を列挙する装置請求項中、これらの手段の幾つかは、１つ及び同一の品目のハードウェアによって具現され得る。特定の手段が相互に異なる従属項中に引用されているという単なる事実は、これらの手段の組み合わせが有利に使用され得ないことを示さない。
【図面の簡単な説明】
【００５６】
【図１】幾つかの選択的な偏光を含む、容器としての浴槽と、液体源としての蛇口とを含む衛生構成を示す概略図である。
【図１】
2009539463.tif 000003
【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
液体を収容するよう構成される容器を含み、該容器は、該容器内に収容される前記液体を照明するよう構成される複数の容器光源を含み、複数の容器光源が、１つ又はそれよりも多くの容器照明色の光をもたらし、前記複数の容器光源の容器源照明色は制御可能であり、
前記容器に液体の噴流をもたらすよう配置される液体源を含み、該液体源は、前記液体源からの前記液体の噴流を照明するよう構成される１つ又はそれよりも多くの液体源光源を含み、前記１つ又はそれよりも多くの液体源光源は、液体源照明色の光をもたらし、前記１つ又はそれよりも多くの液体源光源の前記液体源照明色は制御可能であり、
前記複数の容器光源の前記１つ又はそれよりも多くの容器照明色を制御するよう構成される制御ユニットを含み、前記複数の容器光源の少なくとも一部の前記照明色は、前記１つ又はそれよりも多くの液体源光源の前記照明色の色に従う、
衛生構成。
【請求項２】
前記液体源照明色を制御し、選択的に、照明強度を制御するための使用者入力信号を受信するよう構成される、使用者入力装置をさらに含む、請求項１に記載の衛生構成。
【請求項３】
前記複数の容器光源の少なくとも一部及び１つ又はそれよりも多くの液体源光源の照明色は、加色混合又は減色混合に基づく関係を有する、請求項１及び２のうちのいずれか１項に記載の衛生構成。
【請求項４】
１つ又はそれよりも多くの液体源感知入力信号を取得する１つ又はそれよりも多くの液体源センサをさらに含み、前記１つ又はそれよりも多くの液体源センサは、前記液体源の液体束、前記液体源の液体温度、前記１つ又はそれよりも多くの液体源光源の色の１つ又はそれよりも多くを感知するよう構成され、前記制御ユニットは、前記複数の容器光源の前記１つ又はそれよりも多くの容器照明色を制御し、選択的に、前記１つ又はそれよりも多くの液体源感知入力信号に依存して、前記複数の容器光源からの前記照明の強度を制御するよう構成される、請求項１乃至３のうちのいずれか１項に記載の衛生構成。
【請求項５】
１つ又はそれよりも多くの容器感知入力信号を取得する１つ又はそれよりも多くの容器センサをさらに含み、前記１つ又はそれよりも多くの容器センサは、液体、液体温度、前記容器内の動作の１つ又はそれよりも多くを感知するよう構成され、前記制御ユニットは、前記複数の容器光源の前記１つ又はそれよりも多くの容器照明色を制御し、選択的に、前記１つ又はそれよりも多くの容器感知入力信号に依存して、前記複数の容器光源からの前記照明の強度を制御するよう構成される、請求項１乃至４のうちのいずれか１項に記載の衛生構成。
【請求項６】
液体を収容するよう構成される前記容器は、シャワー流し、浴槽、手洗器、ビデ、及び、化粧室で構成される群から選択される、請求項１乃至５のうちのいずれか１項に記載の衛生構成。
【請求項７】
前記液体は、水を含む、請求項１乃至６のうちのいずれか１項に記載の衛生構成。
【請求項８】
衛生構成における使用のための制御ユニットであって、
前記衛生構成は、
液体を収容するよう構成される容器を含み、該容器は、該容器内に収容される前記液体を照明するよう構成される複数の容器光源を含み、複数の容器光源が、１つ又はそれよりも多くの容器照明色の光をもたらし、前記複数の容器光源の容器源照明色は制御可能であり、
前記容器に液体の噴流をもたらすよう配置される液体源を含み、該液体源は、前記液体源からの前記液体の噴流を照明するよう構成される１つ又はそれよりも多くの液体源光源を含み、前記１つ又はそれよりも多くの液体源光源は、液体源照明色の光をもたらし、前記１つ又はそれよりも多くの液体源光源の前記液体源照明色は制御可能であり、
当該制御ユニットは、
−  実行可能な指令を備えるメモリを含み、
−  入力−出力ユニットを含み、該入力−出力ユニットは、
（ｉ）以下で構成される群から選択される１つ又はそれよりも多くの装置から１つ又はそれよりも多くの入力信号を受信し、
（１）１つ又はそれよりも多くの容器センサ、
（２）１つ又はそれよりも多くの液体源センサ、
（３）使用者入力装置、
（ii）前記複数の容器光源の前記１つ又はそれよりも多くの容器照明色を制御し、選択的に、前記複数の容器光源からの前記照明の強度を制御する１つ又はそれよりも多くの出力信号を送信するよう構成され、
−  前記実行可能な指令に基づき、前記１つ又はそれよりも多くの入力信号を１つ又はそれよりも多くの出力信号に処理するよう設計されるプロセッサを含み、
前記実行可能な指令は、前記複数の容器光源の少なくとも一部の前記照明色と前記１つ又はそれよりも多くの液体源光源の前記照明色との間の関係を定め、前記複数の容器光源の少なくとも一部の前記照明色は、前記１つ又はそれよりも多くの液体源光源の前記照明色の前記色に従う、
制御ユニット。
【請求項９】
前記入力−出力ユニットは、前記１つ又はそれよりも多くの液体源光源の前記源照明色を制御し、選択的に、前記１つ又はそれよりも多くの液体源光源からの前記照明の強度を制御するよう、１つ又はそれよりも多くの出力信号を送信するようさらに構成される、請求項８に記載の制御ユニット。
【請求項１０】
複数の容器光源の１つ又はそれよりも多くの容器照明色を制御し、選択的に、請求項１乃至７のうちのいずれか１項に記載の衛生構成の前記複数の容器光源からの前記照明の強度を制御するための方法であって、当該方法は、
−  以下で構成される群から選択される１つ又はそれよりも多くの装置から感知入力信号を受信するステップを含み、
（１）１つ又はそれよりも多くの容器センサ、
（２）１つ又はそれよりも多くの液体源センサ、
（３）使用者入力装置、
−  １つ又はそれよりも多くの出力信号を導出するステップを含み、前記１つ又はそれよりも多くの出力信号は、前記複数の容器光源の前記１つ又はそれよりも多くの容器照明色、選択的に、前記複数の容器光源からの前記照明の強度を制御し、前記複数の容器光源の少なくとも一部の前記照明色は、前記１つ又はそれよりも多くの液体源光源の前記照明色の色に従い、
−  前記１つ又はそれよりも多くの出力信号を前記衛生構成の前記複数の容器光源に供給するステップを含む、
方法。
【請求項１１】
使用者が、使用者入力装置を用いて使用者入力信号を生成可能であり、該使用者入力信号は、前記１つ又はそれよりも多くの液体源光源の前記液体源照明色を制御する、請求項１０に記載の制御するための方法であって、
当該方法は、
前記使用者入力信号を感知するステップと、
前記１つ又はそれよりも多くの液体源光源の前記液体源照明色を制御するための１つ又はそれよりも多くの出力信号を導出するステップと、
前記１つ又はそれよりも多くの出力信号を前記１つ又はそれよりも多くの液体源光源に供給するステップとさらに含む、
方法。
【請求項１２】
前記複数の容器光源の少なくとも一部及び１つ又はそれよりも多くの液体源光源の前記照明色は、加色混合又は減色混合に基づく関係を有する、請求項１０又は１１に記載の制御するための方法。
【請求項１３】
実行可能な指令を含み、該指令は、プロセッサ上で実行されると、請求項１０乃至１２のうちのいずれか１項に記載の方法を遂行する、コンピュータプログラム。
【手続補正２】
【補正対象書類名】明細書
【補正対象項目名】０００６
【補正方法】変更
【補正の内容】
【０００６】
本発明の第一の特徴によれば、
−  液体を収容するよう構成される容器を含み、
−  容器は、容器内に収容される液体を照明するよう構成される複数の容器光源を含み、複数の容器光源が、１つ又はそれよりも多くの容器照明色の光をもたらし、複数の容器光源の容器源照明色は制御可能であり、
−  容器に液体の噴流をもたらすよう配置される液体源を含み、液体源は、液体源からの液体の噴流を照明するよう構成される１つ又はそれよりも多くの液体源光源を含み、１つ又はそれよりも多くの液体源光源は、液体源照明色の光をもたらし、１つ又はそれよりも多くの液体源光源の液体源照明色は制御可能であり、
−  複数の容器光源の１つ又はそれよりも多くの容器照明色を制御するよう構成される制御ユニットを含み、複数の容器光源の少なくとも一部の照明色は、１つ又はそれよりも多くの液体源光源の照明色の色に従う衛生構成が提供される。
【国際調査報告】
2009539463.tif 000004
2009539463.tif 000005
2009539463.tif 000006